(57)【特許請求の範囲】
【請求項１】
複数の発光領域が一列に並んで配置される発光表示面を有する発光表示デバイスと、
乗物の周囲の明るさを検出する光センサと、
乗物の状態を示す状態情報を取得する状態取得部と、
前記状態取得部で取得される前記乗物状態の変化が大きくなるにつれて発光する前記発光領域の数を増やし、前記光センサで検出される周囲の明るさが明るくなるにつれて前記各発光領域の輝度が大きくなるように制御する制御部と、を備え、
前記光センサが、前記発光表示デバイスの前記発光表示面に隣接して配置され、
前記発光表示面に表示させる状態情報に応じて、発光する前記発光領域の数が前記発光領域の並び方向の一方側から増加し、前記発光領域の並び方向の他方側において、前記光センサが配置されることを特徴とする表示装置。
【請求項２】
前記発光領域の並び方向の一方側において、運転者によって操作されるスイッチが配置される、請求項１に記載の表示装置。
【請求項３】
複数の発光領域が一列に並んで配置される発光表示面を有する発光表示デバイスと、
乗物の周囲の明るさを検出する光センサと、
乗物の状態を示す状態情報を取得する状態取得部と、
前記状態取得部で取得される前記乗物状態の変化が大きくなるにつれて発光する前記発光領域の数を増やし、前記光センサで検出される周囲の明るさが明るくなるにつれて前記各発光領域の輝度が大きくなるように制御する制御部と、を備え、
前記光センサが、前記発光表示デバイスの前記発光表示面に隣接して配置され、
前記発光領域の並び方向の一方側において、運転者によって前記発光領域の輝度設定指示を入力するための操作部であるスイッチが配置され、前記発光領域の並び方向の他方側において、前記光センサが配置されることを特徴とする表示装置。
【請求項４】
複数の発光領域が一列に並んで配置される発光表示面を有する発光表示デバイスと、
乗物の周囲の明るさを検出する光センサと、
乗物の状態を示す状態情報を取得する状態取得部と、
前記状態取得部で取得される前記乗物状態の変化が大きくなるにつれて発光する前記発光領域の数を増やし、前記光センサで検出される周囲の明るさが明るくなるにつれて前記各発光領域の輝度が大きくなるように制御する制御部と、を備え、
前記光センサが、前記発光表示デバイスの前記発光表示面に隣接して配置され、
走行中における発光頻度の高い発光領域が、表示装置の一方側に配置され、
前記光センサが、前記表示装置の他方側に配置されることを特徴とする表示装置。
【請求項５】
前記請求項１乃至４のいずれか一つに記載の表示装置を備えることを特徴とする、オープンライド型の乗物。
【発明の詳細な説明】
【技術分野】
【０００１】
本発明は、自動二輪車等の乗物に搭載されて乗物の走行状態を表示するための表示装置に関する。
【背景技術】
【０００２】
エンジンの回転数の増減に応じて、発光するバー部分が増減する有機ＥＬ（エレクトロルミネセンス）発光素子から構成された自発光型表示装置が、特許文献１に開示されている。
【先行技術文献】
【特許文献】
【０００３】
【特許文献１】特開２００５−３３８４８８号公報
【発明の概要】
【発明が解決しようとする課題】
【０００４】
特許文献１は、自発光型の表示装置を開示する。特許文献１に開示された表示装置では、例えば、自動二輪車やオープンカー等の野外で使用される乗物に表示装置が搭載された場合、表示装置が太陽光のような非常に明るい環境に曝されると、表示装置が周囲の明るさに負けて表示が見えづらくなることがある。また、明るい環境に負けないように、表示装置の輝度を大きくすると、夜間運転等の暗い環境では不必要に明るくなってしまう。このような場合において、如何なる方法や構成によって視認性を確保するかについて、特許文献１は何らの開示・示唆をなしていない。
【０００５】
したがって、本発明の解決すべき技術的課題は、乗物の周囲の明るさにかかわらず適切な明るさで表示できる表示装置を提供することである。
【課題を解決するための手段】
【０００６】
上記技術的課題を解決するために、本発明によれば、以下の表示装置が提供される。
【０００７】
すなわち、本発明の請求項１に係る表示装置は、
複数の発光領域が一列に並んで配置される発光表示面を有する発光表示デバイスと、
乗物の周囲の明るさを検出する光センサと、
乗物の状態を示す状態情報を取得する状態取得部と、
前記状態取得部で取得される前記乗物状態の変化が大きくなるにつれて発光する前記発光領域の数を増やし、前記光センサで検出される周囲の明るさが明るくなるにつれて前記各発光領域の輝度が大きくなるように制御する制御部と、を備え、
前記光センサが、前記発光表示デバイスの前記発光表示面に隣接して配置され、
前記発光表示面に表示させる状態情報に応じて、発光する前記発光領域の数が前記発光領域の並び方向の一方側から増加し、前記発光領域の並び方向の他方側において、前記光センサが配置されることを特徴とする。
【０００８】
本発明の請求項２に係る表示装置では、
前記発光領域の並び方向の一方側において、運転者によって操作されるスイッチが配置されることを特徴とする。
【０００９】
本発明の請求項３に係る表示装置では、
複数の発光領域が一列に並んで配置される発光表示面を有する発光表示デバイスと、
乗物の周囲の明るさを検出する光センサと、
乗物の状態を示す状態情報を取得する状態取得部と、
前記状態取得部で取得される前記乗物状態の変化が大きくなるにつれて発光する前記発光領域の数を増やし、前記光センサで検出される周囲の明るさが明るくなるにつれて前記各発光領域の輝度が大きくなるように制御する制御部と、を備え、
前記光センサが、前記発光表示デバイスの前記発光表示面に隣接して配置され、
前記発光領域の並び方向の一方側において、運転者によって前記発光領域の輝度設定指示を入力するための操作部であるスイッチが配置され、前記発光領域の並び方向の他方側において、前記光センサが配置されることを特徴とする。
【００１０】
本発明の請求項４に係る表示装置では、
複数の発光領域が一列に並んで配置される発光表示面を有する発光表示デバイスと、
乗物の周囲の明るさを検出する光センサと、
乗物の状態を示す状態情報を取得する状態取得部と、
前記状態取得部で取得される前記乗物状態の変化が大きくなるにつれて発光する前記発光領域の数を増やし、前記光センサで検出される周囲の明るさが明るくなるにつれて前記各発光領域の輝度が大きくなるように制御する制御部と、を備え、
前記光センサが、前記発光表示デバイスの前記発光表示面に隣接して配置され、
走行中における発光頻度の高い発光領域が、表示装置の一方側に配置され、
前記光センサが、前記表示装置の他方側に配置されることを特徴とする。
【００１１】
【００１２】
【００１３】
【００１４】
本発明の請求項５に係るオープンライド型の乗物では、
前記請求項１乃至４のいずれか一つに記載の表示装置を備えることを特徴とする。
【発明の効果】
【００１５】
請求項１に係る本発明では、光センサが発光表示デバイスの発光表示面に隣接して配置されることにより、発光表示面に入射する周囲の光の強さを精度良く検出することができ、周囲の明るさに応じて発光表示面が適切な明るさに変化するので、例えば、昼間の明るい太陽光に負けないような明るさの発光表示面にしたり、夜間では不必要に明るくなることを防止したりすることができることに加えて、発光表示面の良好な視認性により運転者が乗物の状態変化を直感的且つ即座に把握できるという効果を奏する。
【００１６】
【００１７】
【００１８】
【００１９】
【００２０】
【００２１】
【００２２】
【図面の簡単な説明】
【００２３】
【図１】本発明の一実施形態に係る表示装置を搭載した自動二輪車の側面図である。
【図２】本発明の一実施形態に係る表示装置の正面図である。
【図３】図２に示した表示装置の背面図である。
【図４】図２に示した表示装置の断面を模式的に示した図である。
【図５】図２に示した表示装置のブロック図である。
【図６】図２に示した表示装置の通常表示動作を示すフローチャートである。
【図７】図２に示した表示装置の設定変更を示すフローチャートである。
【図８】液晶表示面における表示形態の説明図である。
【図９】図２に示した表示装置のタコメータ表示デバイスを模式的に示した説明図である。（Ａ）は黄色・橙色・赤色に発光する場合である。（Ｂ）は白色・赤色に発光する場合である。
【図１０】変形例に係るタコメータ表示デバイスの要部を模式的に示した説明図である。（Ａ）は斜視図であり、（Ｂ）は（Ａ）のＸ視図であり、（Ｃ）は（Ａ）のＹ視図である。
【発明を実施するための形態】
【００２４】
以下に、本発明の一実施形態に係るメータパネル（表示装置）１１０について、図１乃至８を参照しながら詳細に説明する。
【００２５】
まず、図１を参照しながら、本発明に係るメータパネル１１０を搭載した自動二輪車１００について概説する。
【００２６】
図１は、乗物の一例として示した、自動二輪車１００を左側面から見た図である。自動二輪車１００の一例として、サーキット場等で走行するスポーツタイプのものについて以下に説明するが、本願発明はスポーツタイプの自動二輪車１００に限定されるものではない。本明細書における前後方向、左右方向、及び上下方向は、自動二輪車１００に乗車する運転席から見たときを基準にして、自動二輪車１００等の乗物の車長方向、車幅方向、及び車高方向を意味している。
【００２７】
図１において、自動二輪車１００は前輪１１２と後輪１１４とを備え、前輪１１２は略上下方向に延びるフロントフォーク１０４の下部にて回転自在に支持されている。フロントフォーク１０４は、ステアリングヘッドに回動自在に支持されている。フロントフォーク１０４の上部には、左右方向に延在するバー型のステアリングハンドル１１８が取り付けられている。したがって、運転者がステアリングハンドル１１８を左右に揺動させることによって、フロントフォーク１０４を回転軸として、前輪１１２が操舵される。ステアリングハンドル１１８には、ブレーキレバーやアクセルグリップやクラッチレバー等が取付けられている。
【００２８】
ステアリングハンドル１１８の前方には、車速やエンジン回転数や燃料の量や水温等の乗物の状態を示す状態情報を表示するメータパネル１１０が設けられている。本発明に係る表示装置すなわちメータパネル１１０は、その左右方向の中央位置が、車体の左右方向の中央位置に位置するように、車体の前端部に搭載される。メータパネル１１０は、表示面が略平坦に形成されている。メータパネル１１０の表示面は、車体の前端部から後方に進むにつれて車体下方に傾斜している。また、メータパネル１１０の表示面は、車幅方向に延在している。メータパネル１１０の表示面は、シート１２２に着座した運転者の視線に対して大略直交するように配置されている。なお、発光表示デバイスとしてのメータパネル１１０の詳細は、後述する。
【００２９】
メータパネル１１０の前方には、走行時に受ける風を遮るための風防スクリーン１１９が設けられている。自動二輪車１００に搭載された状態でのメータパネル１１０の上方領域には、メータパネル１１０の周囲を物理的に覆う屋根のような覆い体が配置されていないので、開放された空間が形成されている。当該開放空間により、メータパネル１１０の表示面には、太陽光がメータパネル１１０の上方から入射する可能性がある。この場合、メータパネル１１０の表示面が、太陽光で照明された表示面の明るさに対抗する程度の明るさを有することが要求される。特に自動二輪車１００では、シート１２２に乗車する運転者の上方に覆い体が設けられていない場合が多い。シート１２２に着座した運転者の上方且つ後方が開放されることとなり、シート１２２に着座した運転者の後方に太陽が位置した場合には、太陽光の一部がメータパネル１１０の表示面に対して略垂直に入射する可能性がある。この場合、メータパネル１１０の表示面が、太陽光によって照明された表示面の明るさに負けない明るさを有することが要求される。
【００３０】
風防スクリーン１１９の下方には、フロントカウルが設けられている。フロントカウルの前方には、前方を照明するためのヘッドランプ１１７が取り付けられている。メインフレーム１０７の上には、燃料タンク１２０が設けられており、その後方には、シート１２２が配置されている。メインフレーム１０７には、スイングアーム１１１の前端部が軸支されており、スイングアーム１１１の後端部には後輪１１４が回転自在に支持されている。燃料タンク１２０の略直下には、エンジン１１６が搭載されている。エンジン１１６は、略鉛直方向に立設した直立４気筒４サイクルエンジンである。
【００３１】
次に、図２を参照しながら、本発明に係るメータパネル（表示装置）１１０について説明する。
【００３２】
図２は、自動二輪車１００のシート１２２に着座した運転者によって視認されるメータパネル１１０の平面図である。図２に示したメータパネル１１０の上方には、主たる表示デバイスであるタコメータ表示デバイス２０が設けられている。タコメータ表示デバイス２０の左右方向の一方すなわち本実施形態では左側に、第一切換スイッチ１２，第二切換スイッチ１４が上下方向に並んでそれぞれ設けられている。タコメータ表示デバイス２０の左右方向の他方すなわち本実施形態では右側に、乗物の周囲の明るさ（すなわち照度）を検出するための光センサ１６が設けられている。
【００３３】
メータパネル１１０は、左右方向に延在する横長形状の筐体を有する。タコメータ表示面２５は、筐体の上面に配置されて、左右方向に延在する横長形状に形成され、タコメータ表示面２５の左右方向中央位置が筐体の左右方向中央位置に一致するように配置される。筐体の左右方向両端部と、タコメータ表示面２５の左右方向両端部とは間隔をあけて形成され、筐体の左端とタコメータ表示面２５の左端との間には切換スイッチ１２，１４が配置される。また、筐体の右端とタコメータ表示面２５の右端との間には光センサ１６が配置される。
【００３４】
光センサ１６がタコメータ表示面２５の左右方向に隣接して配置されることにより、光センサ１６がタコメータ表示面２５から離れた位置に配置される場合に比べて、光センサ１６がタコメータ表示面２５に入射する周囲の光の強さを精度良く検出することができる。
【００３５】
切換スイッチ１２，１４は、運転者によって操作されて、運転者の好みに応じた表示設定指令をメータパネル１１０に与えるための手段である。設定指令としては、表示モード切換、表示選択、表示決定等が用意されている。操作される切換スイッチ１２，１４や操作される時間等の多様な組合せが存在することで、多様な指令を与えることができる。なお、切換スイッチ１２，１４及び光センサ１６の配置は単なる例示であって、それらが他の位置に配置されてもよい。
【００３６】
タコメータ表示デバイス（発光表示デバイス）２０では、短冊状の発光領域である複数のセグメント（発光領域）２２が左右方向に一列に並んで配置されることにより、発光表示面２３が形成されている。各セグメント２２は、左右方向の寸法と比較して上下方向の寸法が大きいように寸法構成されている。各セグメント２２は、発光領域内で大略均一に発光するように構成されている。後述するＣＰＵ（制御部）２により、セグメント２２のそれぞれの輝度及び発光数が可変に制御される。
【００３７】
具体的には、乗物の状態を示す状態情報の一つであるエンジン回転数が増加するにつれて、発光するセグメント２２の数を増やすことで、エンジン回転数の変化を表示させることができる。発光するセグメント２２によってエンジン回転数をバー状に非文字情報として表示している。さらに具体的には、エンジン回転数が増加するにつれて、発光するセグメント２２と発光しないセグメント２２との境界位置が左から右に変化する。これによって、エンジン回転数が高い場合には、発光表示面２３において発光するセグメント２２を合計した発光領域の左右方向寸法が長くなる。また、エンジン回転数が低い場合には、発光領域の左右方向寸法が短くなる。運転者は発光領域の左右方向長さの大小を認識することで、エンジン回転数の高低を視覚的に判断できる。
【００３８】
タコメータ表示面２５は、発光表示面２３と、発光表示面２３の下方に配置された数字表示部２４と、から構成されている。数字表示部２４においては、区切りとなるエンジン回転数の位置に対して、該エンジン回転数を指示する数字がそれぞれ配置されている。
【００３９】
２０００回転や３０００回転等の区切りとなるセグメント２２は、区切りを示す目印として、他のセグメント２２よりも上下方向に長く寸法構成されている。したがって、本実施形態では、セグメント２２は、上下方向に長い第一セグメント２２ｘと、上下方向に短い第二セグメント２２ｙと、によって構成されている。第一セグメント２２ｘは、左右方向に間隔をあけて配置される。左右方向に離間した二つの第一セグメント２２ｘの間に、一つ又は複数の第二セグメント２２ｙが配置される。これにより、エンジン回転数の変化が視認しやすくなる。左端側の低回転表示領域（例えば３０００ｒ／ｍｉｎ以下）を除く中回転表示領域及び高回転表示領域では、離間した二つの第一セグメント２２ｘの間には、３つの第二セグメント２２ｙが配置される。
【００４０】
本実施形態では、注目する第一セグメント２２ｘが発光してからエンジン回転数が１０００回転増加すると、その右側に離間配置された第一セグメント２２ｘが発光する。また注目する第一セグメント２２ｘが発光してからエンジン回転数が約２５０回転増加するごとに、注目する第一セグメント２２ｘの右側に隣接する第二セグメント２２ｙが左から右に順番に発光して、第二セグメント２２ｙの発光数が増加する。低回転表示領域を除く中回転表示領域及び高回転表示領域において、二つの離間した第一セグメント２２ｘの間に配置された３つの第二セグメント２２ｙのうちで、中央の第二セグメント２２ｙの発光領域の形状が、残余の二つの第二セグメント２２ｙと部分的に異なっていてもよい。本実施形態では、中央の第二セグメント２２ｙの近傍に、小さな発光領域（例えば円形状の目盛り）を設けてもよい。これにより、中央の第二セグメント２２ｙが発光したことを容易に判断することができ、注目する第一セグメント２２ｘが発光してからエンジン回転数が約５００回転増加したことを容易に判断することができる。
【００４１】
また、低回転表示領域では、中回転表示領域及び高回転表示領域よりも、二つの離間した第一セグメント２２ｘの間に配置される第二セグメント２２ｙの数が少なく形成される。本実施形態では、低回転表示領域では、二つの離間した第一セグメント２２ｘの間に一つの第二セグメント２２ｙが配置される。このように、低回転数領域ではエンジン回転数を精密に表示することの重要度が低いので、二つの離間した第一セグメント２２ｘ間に配置される第二セグメント２２ｙの数が少なく設定される。これにより、限られた左右方向寸法のなかで、精密な表示が要求される表示領域でのエンジン回転数の変化を細かく表示させることができる。高回転表示領域についても、二つの離間した第一セグメント２２ｘ間に配置される第二セグメント２２ｙの数を少なく設定してもよい。本実施形態では、エンジンアイドリング状態において、少なくとも一つのセグメント２２が発光するように設定される。
【００４２】
図９に例示した発光表示形態では、低回転表示領域のエンジン回転数（３０００ｒ／ｍｉｎ未満）を、５００ｒ／ｍｉｎの単位でバー状に表示し、非低回転表示領域のエンジン回転数（３０００ｒ／ｍｉｎ以上）を、２５０ｒ／ｍｉｎの単位でバー状に表示するように、多数個（５６個）のセグメント２２が左右方向の全域にわたって並列配置されている。
【００４３】
低回転表示領域側のセグメント２２は走行中での発光頻度が高いために、低回転表示領域近傍に光センサ１６を配置すると、発光しているセグメント２２からの光を光センサ１６が受光してしまい、光センサ１６の検出した明るさが実際の周囲の明るさよりも明るいと光センサ１６が誤検出する可能性が高くなる。したがって、誤検出を防止するために、光センサ１６を発光頻度の高いセグメント２２から離れた位置に、言いかえれば、光センサ１６を発光頻度の低いセグメント２２の側に、配置することが好適である。図２に示した実施形態では、光センサ１６が高回転表示領域の右端部に配置されている。
【００４４】
メータパネル１１０の下方の左右方向の中央部には、透過表示デバイスとしての液晶表示デバイス３０がさらに設けられている。
【００４５】
液晶表示面３５は、上記タコメータ表示面２５で表示される情報以外の情報を表示する。例えば、車速、ギア位置、オドメータ、時刻、水温、走行モード、エラー情報などを液晶表示する。また液晶表示面３５の左右両側には、点灯表示面４２が設けられている。点灯表示面４３は、表示部分が点灯することで、タコメータ表示面２５、液晶表示面３５で表示される情報以外の情報を表示する。例えばニュートラル表示、ハイビーム表示、左右指示器動作表示などを表示する。
【００４６】
図３は、図２に示したメータパネル１１０の背面図である。メータパネル１１０の背面には、フィルタ５４で封止された複数の通気孔５２が分散配置されている。通気孔５２は、間仕切り５６によって、底面視、半円弧形状に開口している。タコメータ表示デバイス２０の背後において、通気孔５２のうち少なくともいくつかが、上方領域で左右方向に複数並んで配置されている。これにより、タコメータ表示デバイス２０で発生した熱気が、外部に逃げやすくなる。また、通気孔が上方領域以外（タコメータ表示デバイス２０の背後以外）にも形成されることで、上方領域以外の通気孔が入口、上方領域の通気孔が出口となって、空気の流れを形成することができ、上記熱気が筐体内で滞留することを防ぐことができる。
【００４７】
各フィルタ５４は、対応する半円弧状の通気孔５２を覆うように下ケース５０の底壁内面に貼付されている。フィルタ５４は、空気や水蒸気のような気体成分を通過させることができるが、水滴のような液体の通過を遮断するような微細な孔を無数に有するシート体又は膜状体（例えば、ミクロテックスやゴアテックスという商品名で市販されている）である。したがって、フィルタ５４は、メータパネル１１０の内部で発生した熱気を外部に逃がすとともに、外部の水滴がメータパネル１１０の内部に侵入することを防止するためのものである。また、メータパネル１１０の背面には、タコメータ表示デバイス２０や液晶表示デバイス３０等に対して、電流を供給したり各種信号の入出力を制御したりするための接続コネクタ５８が配置されている。
【００４８】
図４は、メータパネル１１０の模式的断面図であり、図の右側が自動二輪車１００の前側であり、図の左側が自動二輪車１００の後側である。メータパネル１１０では、樹脂材料を射出成型することによって所定形状に加工した上ケース１０及び下ケース５０によって筐体を構成している。上ケース１０の上面において、筐体の内部に設けられたタコメータ表示面等の表示面に対応する表示パネル部分は、透光性を有している。上ケース１０及び下ケース５０の繋ぎ目部分に防水パッキング６２を介在させた状態でネジ等の固定具を用いて、上ケース１０及び下ケース５０を密閉固定することによって、筐体の防水性を確保している。
【００４９】
タコメータ表示デバイス２２は、前記セグメント２２を形成するとともに光学素子として機能するセグメント形成体２６と、セグメント２２毎に対応して設けられる複数の光源２１と、光源２１が設置される基板６４と、を含んで構成される。光源２１は、対応するセグメント２２の直下にそれぞれ配置されて、左右方向に一列に並んで配置されている。各光源２１は、輝度が制御可能であり、且つ、個別に発光又は非発光を切換可能であるものが用いられる。本実施形態では、ＬＥＤ（Light Emitting Diode）素子によって光源２１が実現される。光源２１は、セグメント２２よりも小さい出射面から光を放射する。出射面から出射された光は、セグメント２２の方に、すなわち上方に、進むにつれて、設定される放射角で広がる。
【００５０】
セグメント形成体２６では、光源２１から放射された光が、対応するセグメント２２から出射することにより、セグメント２２が発光しているように見える。具体的には、セグメント形成体２６は、光源２１から放射された光が透過する光学素子によって形成され、光源２１からの光が入射する入射面と、内部を透過した光が外方に出射する出射面と、入射面と出射面との間に形成されて光が透過する透過部分と、を備えている。セグメント形成体２６のそれぞれに対して、光源２１が対向配置されている。セグメント形成体２６の入射面は、対応する光源２１から放射された光の大部分が入射することが好ましい。セグメント形成体２６の出射面は、上述したセグメント２２の発光表示面２３の一部分を構成している。
【００５１】
セグメント形成体２６は、入射面に入射した光が透過部分を透過することによって、入射面に入射した光を集光し、出射面全体を大略均一に発光させるための光学素子である。このようなセグメント形成体２６により、光源２１からの拡散光を予め定める発光方向に集光させて、メータパネル１１０の外方へ光を導くことで、セグメント２２が短冊状に発光したセグメント表示を実現できる。本実施形態では、セグメント形成体２６は、セグメント２２毎に集光機能を有する複数の光学素子が左右方向に並んで一体化した構成にすることができる。当該構成のセグメント形成体２６は、樹脂材料を成形加工することにより一つの部品として形成可能である。
【００５２】
光源２１をセグメント２２のそれぞれに対して設けることで、一つのセグメント２２における発光輝度が大きくなる。また、セグメント形成体２６を用いることで、光源２１の発光領域よりも大きい発光領域を持ったセグメント２２を得ることができ、視認性を向上させることができる。また、基板６４の上に整列配置された光源２１のそれぞれが、どのような色で発光し、どのように配置するかは、後で詳細に説明するように、適宜に選択される。
【００５３】
また、液晶表示面３５を形成する液晶パネル３３を背後から照明するためのバックライト光源３１が、基板６４の上に配置されている。バックライト光源３１から放射された光は、液晶パネル３３の液晶セグメント３７を透過して、運転者に視覚される。液晶パネル３３の周囲に配置されたニュートラル表示灯等の絵文字部や、エンジン回転数に関する数字表示部２４等を背後から照明するための光源であるランプ４０が、基板６４の上に配置される。基板６４の上には、タコメータ表示デバイス２０を制御するＬＥＤ駆動回路６、液晶パネル３３を制御する液晶駆動回路８、ランプ４０を制御する点灯駆動回路が適宜に配置される。液晶パネル３３、バックライト光源３１、ランプ４０、液晶駆動回路８及び点灯駆動回路は、タコメータ表示デバイス２０における発熱部分よりも下方に配置されることが好ましい。
【００５４】
図４に示した断面図では、タコメータ表示デバイス２０や液晶表示デバイス３０等の表示デバイスが大略水平方向と平行方向に延在するように図示されているが、メータパネル１１０が自動二輪車１００に搭載されたときには、タコメータ表示面２５や液晶表示面３５等の表示面が、例えば水平面に対して約５６度の角度をなすように傾斜配置される。当該傾斜配置では、タコメータ表示デバイス２０は、液晶表示デバイス３０よりも上方に位置している。したがって、上方に位置するタコメータ表示デバイス２０から発生した熱が、上方に向かうために、下方に位置する液晶表示デバイス３０の側に伝わりにくくなっている。
【００５５】
図５に示すように、メータパネル１１０は、ＣＰＵ（中央処理装置）２と、メモリ４と、ＬＥＤ駆動回路６と、タコメータ表示デバイス２０と、液晶駆動回路８と、液晶表示デバイス３０と、切換スイッチ１２，１４と、光センサ１６と、バックライト光源３１と、ランプ４０と、を備えている。ＣＰＵ（中央処理装置）２を中心にしてメモリ４等の関連デバイス６，８，１２，１４，１６，２０，３０，３１，４０が電気的に接続されている。
【００５６】
制御手段としてのＣＰＵ２は、メータパネル１１０においてやり取りされる各種の信号の入力や出力を制御する。制御手段としてのＣＰＵ２は、イグニッションスイッチのオンによりＲＯＭに記憶された制御プログラムを実行するが、その実行に必要な各種のデータや信号をＲＡＭから読み込む。
【００５７】
メモリ４は、例えばＥＥＰＲＯＭやフラッシュメモリ等の不揮発性の半導体メモリによって構成されて各種の制御プログラムや初期設定値を記憶しているＲＯＭと、各種センサからのデータや制御プログラムや設定内容をワークメモリとして一時的に記憶しているＲＡＭと、を備えている。
【００５８】
ＬＥＤ駆動回路６は、タコメータ表示デバイス２０の一部を構成する、複数個のセグメント２２の光源２１のうち、いずれの光源２１を発光又は非発光にするかを制御する回路である。液晶駆動回路８は、各種の状態情報を液晶表示デバイス３０に表示させるために液晶を駆動させるための回路である。
【００５９】
切換スイッチ１２，１４は、乗物の運転者による輝度設定指令の入力を行うための操作部であって、輝度設定指令をＣＰＵ２に出力する。したがって、切換スイッチ１２，１４は、モード切換を行ったり、設定内容を変更したりする際に使用される。なお、切換スイッチ１２，１４は、押しボタン式に限らず、例えばタッチパネル式のスイッチであってもよい。
【００６０】
ＣＰＵ２には、乗物状態制御用のＥＣＵ（エンジン・コントロール・ユニット）７０が電気的に接続されている。乗物状態制御用のＥＣＵ７０は、状態取得部として、電気的に接続されて乗物の各種の状態情報を検出するセンサ（エンジン回転数センサ７２，ギア位置センサ７４，車速センサ７６，水温センサ７８等）から得られた各種の状態情報に関する信号をＣＰＵ２に出力する。すなわち、乗物状態制御用のＥＣＵ７０は、エンジン回転数、ギア位置、車速、水温等の状態情報をＣＰＵ２に出力する。
【００６１】
調光用の光センサ１６は、フォトトランジスタのような光電変換素子であり、光センサ１６の周囲で検出された照度に対応した光電流を生じ、周囲の明るさ（すなわち検出された照度）に関する信号をＣＰＵ２に出力する。光センサ１６で検出された照度が大きいほど、光センサ１６から出力される出力値が大きくなる。メモリ４は、所定の第一しきい値及び第二しきい値を記憶している。ＣＰＵ２は、光センサ１６からの出力値が第一しきい値以下であると暗い低照度状態と判断し、第一しきい値を超えて第二しきい値以下であると中程度に明るい中照度状態と判断し、第二しきい値を超えると明るい高照度状態と判断する。ＣＰＵ２は、光センサ１６で検出された照度に応じてセグメント２２の輝度を変化させるように、ＬＥＤ駆動回路６に指令を与える。具体的には、ＣＰＵ２は、光センサ１６で検出された照度が低照度状態から高照度状態に変化すると、周囲の明るさが暗い低照度状態から明るい高照度状態に変化したと判断し、セグメント２２の輝度が大きくなるように制御する。ＣＰＵ２は、例えば、光センサ１６で検出された照度が３００ｌｘ（ルクス）より低いと夜間やトンネル内のような低照度状態であり、照度が３００乃至２８００ｌｘ（ルクス）であると早朝や夕方や曇天のような中照度状態であり、照度が２８００ｌｘ（ルクス）より高いと昼間のような高照度状態であると、それぞれ判断する。
【００６２】
したがって、本発明に係るメータパネル１１０によれば、周囲の明るさに応じてタコメータ表示デバイス２０の発光表示面２３が適切な輝度で発光するので、例えば、昼間の明るい太陽光に負けないような輝度で発光表示面２３が発光することができ、夜間では不必要に高い輝度で発光表示面２３が発光しないようにできることに加えて、発光表示面２３の良好な視認性により運転者が乗物状態の変化を直感的且つ即座に把握できるという効果を奏する。
【００６３】
ＣＰＵ２は、走行中の乗物状態が所定の走行時報知条件を満足した場合に、所定の走行時報知条件を満たさない場合に比べて、発光表示面２３におけるセグメント２２の発光数以外の表示形態を異ならせることができる。例えば、エンジン回転数が所定値以上になると、発光している一群のセグメント２２の全てを点滅させることができる。ここで、所定値とは、変速比を低くすることが適当であると見込まれるエンジン回転数であって、例えば１１０００ｒ／ｍｉｎ（一分当たりのエンジン回転数）に設定される。これにより、エンジン回転数が変速切換えに相当するシフトアップ回転数に達すると、発光している一群のセグメント２２が点滅するので、運転者は、シフトアップの報知がなされていることを容易に知ることができる。なお、発光している一群のセグメント２２の数がエンジン回転数に対応して規定されているので、エンジン回転数の表示と、シフトアップ報知とを一つの表示デバイスで実現することができる。
【００６４】
次に、図６を参照しながら、本発明の一実施形態に係るメータパネル１１０の動作について説明する。
【００６５】
ステップＳ１００において、イグニッションスイッチがオンになると、本発明の一実施形態に係るメータパネル１１０におけるタコメータ表示デバイス２０の通常表示動作がスタートし、ステップＳ１０４に進んで、スタートアップ用の特別なグラフィカルな表示がなされる。スタートアップ用の特別なグラフィカルな表示とは、具体的には、タコメータ表示デバイス２０の発光表示面２３において、エンジン回転数の表示とは異なる別の表示を一定時間行わせることである。例えば、イグニッションスイッチのオン・オフを判断したときから経過した時間の長さに応じてセグメント２２の発光数が徐々に増加するようにしたり、セグメント２２の発光数が徐々に減少するようにしたりすることができる。このように、スタートアップを開始してから所定時間の間、セグメント２２の発光数が変化するような表示を行わせる。所定時間が経過すると、ステップＳ１０８に進む。
【００６６】
ステップＳ１０８において、メモリ４に保存されていて表示に必要な設定値の読み取りを行い、ステップＳ１１０に進む。ここで、メモリ４に保存されている設定値とは、例えば、後述するタコメータ表示デバイス２０のシフトアップ報知表示の点滅条件、タコメータ表示デバイス２０のシフトアップ報知表示を行わせるときのエンジン回転数、及び、タコメータ表示デバイス２０の輝度変化規則等である。イグニッションスイッチがオフであるならば、ステップＳ１２６に進んで当該タコメータ発光表示モードを終了する。
【００６７】
ステップＳ１１０において、光センサ１６により周囲の照度情報を取得する。光センサ１６から検出された周囲の照度情報に基づいて、自動二輪車１００の置かれている環境が、夜間やトンネル内のような低照度状態、早朝や夕方や曇天のような中照度状態、又は昼間のような高照度状態のいずれに該当するかをＣＰＵ２が判断する。そして、ＣＰＵ２は、セグメント２２の発光する輝度を、検出された周囲の照度状態に対応した輝度となるように設定する（ステップＳ１１２）。
【００６８】
ステップＳ１１４において、エンジン回転数センサ７２によりエンジン回転数情報を取得する。そして、ステップＳ１１２で設定された輝度であり且つ所定の発光表示形態によって、バーグラフによりエンジン回転数を表示する（ステップＳ１１５）。例えば、エンジン回転数センサ７２により検出されたエンジン回転数情報に応じた個数のセグメント２２が、所定の輝度及び発光色で発光する。
【００６９】
ステップＳ１１６において、検出されたエンジン回転数が設定されたシフトアップ条件のエンジン回転数以上であるか否かが判断される。検出されたエンジン回転数が設定されたシフトアップ条件のエンジン回転数に達していないならば、上記ステップＳ１１５と同じ非点滅の表示形態を維持する（ステップＳ１１８）。検出されたエンジン回転数が設定されたシフトアップ条件のエンジン回転数以上であるならば、発光中のセグメント２２を点滅させることによって、エンジン回転数が設定されたシフトアップ条件のエンジン回転数以上であることを運転者に報知して、ギアのシフトアップ時期を表示する（ステップＳ１２０）。
【００７０】
ステップＳ１２２において、イグニッションスイッチがオフであるか否かを判断する。イグニッションスイッチがオフでないならば、ステップＳ１１０に戻って、上述した周囲照度を取得すること、ステップＳ１１２でのセグメント２２の輝度を調整すること、ステップＳ１１５でのエンジン回転数を表示すること、及び、ステップＳ１２０でのシフトアップ時期を表示すること等を繰り返す。
【００７１】
ステップＳ１２２において、イグニッションスイッチがオフであるならば、タコメータ表示デバイス２０の通常表示動作が終了する（ステップＳ１２６）。なお、いずれのステップでもイグニッションスイッチがオフにされたならば、タコメータ表示デバイス２０の通常表示動作が終了する。
【００７２】
したがって、本発明に係るメータパネル１１０の発光表示形態によれば、周囲の明るさに応じて発光表示面２３が適切な輝度で発光するので、運転者が最適な明るさに調光された発光表示面２３を見ることができる。発光表示面２３の良好な視認性により運転者が乗物の状態変化を直感的且つ即座に把握できる。さらに、検出されたエンジン回転数が所定のエンジン回転数になると、ギアのシフトアップの実行を促すような表示形態になるので、運転者が乗物状態の変化を迅速且つ的確に把握できる。
【００７３】
なお、液晶表示デバイス３０の液晶表示面３５も、上記タコメータ表示デバイス２０の発光表示面２３の調光制御と同様に、光センサ１６から検出された周囲の照度情報に基づいて、発光表示面２３の調光と連動して調光制御することができる。発光表示面２３の調光と同様に、液晶表示面３５の調光制御は、高照度状態と中照度状態とを含む非低照度状態、及び、低照度状態の各状態に対応した２つの明るさ設定を有する。非低照度状態では、低照度状態に比べて明るく設定される。液晶表示面３５の調光を発光表示面２３の調光と連動させることにより、運転者に違和感を与えることを防止することができる。液晶表示面３５の明るさ制御は、バックライト光源３１の輝度を変化させる制御や、液晶セグメント３７の透過状態を変化させる制御により行うことができる。
【００７４】
次に、図９を参照しながら、タコメータ表示デバイス２０での発光表示形態について詳細に説明する。
【００７５】
図９の（Ａ）に例示した発光表示形態において、低域のエンジン回転数（８０００ｒ／ｍｉｎ未満）に対応した発光領域２２ａでは、セグメント２２が第一色に（例えば黄色に）発光するように構成されている。中域のエンジン回転数（８０００ｒ／ｍｉｎ以上で１４０００ｒ／ｍｉｎ未満）に対応した発光領域２２ｂにおいては、セグメント２２が第一色と異なる第二色に（例えば橙色に）発光するように構成されている。高域のエンジン回転数（１４０００ｒ／ｍｉｎ以上）に対応した発光領域２２ｃにおいては、セグメント２２が第一色及び第二色と異なる第三色に（例えば赤色に）発光するように構成されている。
【００７６】
図９の（Ｂ）に例示した発光表示形態において、低・中域のエンジン回転数（１４０００ｒ／ｍｉｎ未満）に対応した発光領域２２ｄでは、セグメント２２が第一色に（例えば白色に）発光するように構成されていてもよい。そして、高域のエンジン回転数（１４０００ｒ／ｍｉｎ以上）に対応した発光領域２２ｃにおいては、セグメント２２が第一色と異なる第二色に（例えば赤色に）発光するように構成されている。
【００７７】
なお、乗物の状態情報であるエンジン回転数に応じたセグメント２２の発光表示形態（発光色や発光領域や発光パターン）は、上記例示に限定されるものではなく、以下に説明するように、様々な変形例を採用することができる。
【００７８】
表示すべきエンジン回転数の領域毎に、セグメント２２を異なった複数の色で発光させることで、走行中に表示されるエンジン回転数の視認性をさらに向上させることができる。特に、エンジン回転数が増加するにつれて、セグメント２２の発光色を赤色に近づくように設定することは、感覚的な視認性を向上させるが、セグメント２２の発光色については任意の色を選択可能である。また、本実施形態では、エンジン回転数の領域毎に表示色を３段階又は２段階に変化させたが、４段階以上で変化させてもよい。また、光源２１それ自身の発光色が変化可能であれば、エンジン回転数に応じて発光すべきセグメント２２の全体の発光色を変更させてもよい。セグメント２２の発光色についても、上記以外の色を用いてもよい。
【００７９】
また、セグメント２２の発光色については、太陽光に近い白色以外の有彩色のほうが好ましい。これにより、セグメント２２が白色で発光する場合に比べて、日中での視認性が向上する。また、エンジン回転数が低域から高域に変化するにつれて、明度（黄色→橙色→赤色になるにつれて明度が低くなる）を低くすることで、高回転域を認識しやすくなる。
【００８０】
図９に例示した発光表示形態では、光源２１として単色（例えば黄色、橙色、赤色、白色）で発光するＬＥＤを使用しているので、対応するセグメント２２は、当該単色で発光・表示する（単色発光型の表示パターン）。セグメント２２の発光色の変形例として、光の三原色である赤色・緑色・青色の３つの光源２１を組み合わせて用いることによって、対応するセグメント２２は所望の色で発光・表示する（多色発光型の表示パターン）こともできる。
【００８１】
図９に例示した発光表示形態を別の見方をすると、表示可能な最低のエンジン回転数（１０００ｒ／ｍｉｎ）から検出されたエンジン回転数までの全てのセグメント２２が発光してバーグラフのように表示している（バーグラフ型の表示パターン）。セグメント２２の発光領域の変形例として、検出されるエンジン回転数を指示するセグメント２２だけが発光する（幅狭指針型の表示パターン）、又は、検出されるエンジン回転数を指示するセグメント２２と、それより低エンジン回転数側の数個分のセグメント２２とが発光する（幅広指針型の表示パターン）こともできる。
【００８２】
また、図９に例示した発光表示形態を別の見方をすると、表示可能な最低のエンジン回転数（１０００ｒ／ｍｉｎ）から検出されるエンジン回転数までに対応した全てのセグメント２２がある色で発光し、それより高エンジン回転数側のセグメント２２が発光していない（部分発光型の表示パターン）。タコメータ表示デバイス２０の発光表示形態の変形例として、表示可能な最低のエンジン回転数（１０００ｒ／ｍｉｎ）から検出されるエンジン回転数までに対応した全てのセグメント２２が同時に点滅する（全部点滅型の表示パターン）こともできる。あるいは、表示可能な最低のエンジン回転数（１０００ｒ／ｍｉｎ）から検出されるエンジン回転数までに対応した全てのセグメント２２がある色で発光し、それより高エンジン回転数側のセグメント２２が別の色で発光する（異色全部発光型の表示パターン）こともできる。さらに、検出されるエンジン回転数を指示するセグメント２２だけが、又は、検出されるエンジン回転数を指示するセグメント２２と、それより低エンジン回転数側の数個分のセグメント２２とが、高輝度に発光して、それ以外に発光しているセグメント２２が低輝度で発光する（高輝度発光型の表示パターン）こともできる。
【００８３】
本実施形態では、以下の表１に示すように、周囲の明るさ変化に応じたセグメント２２の輝度変化を示す変化規則を複数個記憶している。すなわち、本実施形態では、３つの輝度変化規則がメモリ４に記憶されている。各変化規則は、周囲の明るさ（高照度状態、中照度状態、低照度状態）に応じたセグメント２２の輝度（カンデラ／平方メートル）が設定される。
【００８４】
輝度変化規則毎に用いられて周囲の明るさ（照度）に対応する輝度設定値をまとめると、表１のようになる。表１に示された数値は例示であって、他の数値であってもよい。いずれの輝度変化規則においても、周囲の明るさが明るくなる（すなわち、周囲の照度が高くなる）につれて、セグメント２２の輝度が大きくなる傾向に設定される。また、周囲の明るさ（照度）が同じであっても輝度変化規則が異なれば、セグメント２２の輝度が異なるように設定されている。
【表１】
0005577191.tif 000002
【００８５】
切換スイッチ１２，１４の操作によって、三つの輝度変化規則のうちから一つを選択して輝度設定指令を入力することができる。ＣＰＵ２は、選択された輝度変化規則に従い、光センサ１６の出力に基づいて、セグメント２２の輝度を制御する。これにより、輝度変化規則が一つしか設けられていない場合に比べて、運転者の好みに応じた輝度が設定されて、利便性が向上する。また、いずれかの輝度変化規則を選択するだけで、高照度状態、中照度状態、低照度状態のそれぞれに対応した輝度が設定されるので、入力作業が容易になる。
【００８６】
また、本実施形態では、以下の表２に示すように、周囲の明るさ変化に応じた液晶表示デバイス３０の液晶表示面３５の調光制御規則を複数個記憶している。すなわち、本実施形態では、２段階で調光する３つの調光制御規則がメモリ４に記憶されている。各調光制御規則は、２段階の周囲の明るさ（非低照度状態、低照度状態）に応じた２段階の液晶表示面３５の明るさ（第一調光制御規則の非低照度状態を基準にして、そのときの明るさを１００％としたときの相対的な明るさ）が設定される。
【００８７】
調光制御規則毎に用いられて周囲の明るさ（照度）に対応する明るさ設定値をまとめると、表２のようになる。表２に示された数値は例示であって、他の数値であってもよい。いずれの調光制御規則においても、周囲の明るさが明るくなる（すなわち、周囲の照度が高くなる）につれて、液晶表示面３５の明るさが大きくなる傾向に設定される。また、周囲の明るさ（照度）が同じであっても調光制御規則が異なれば、液晶表示面３５の明るさが異なるように設定されている。
【表２】
0005577191.tif 000003
【００８８】
また、本実施形態では、運転者の操作により、ステップＳ１１６におけるシフトアップ条件のエンジン回転数が変更可能にメモリ４に記憶されている。シフトアップ条件のエンジン回転数は、初期状態では、例えば１１０００ｒ／ｍｉｎに設定される。本実施形態では、シフトアップ条件のエンジン回転数が、９５００乃至１３００ｒ／ｍｉｎの範囲で、２５０ｒ／ｍｉｎ刻みの値で、運転者の好みに応じて変更可能に設定される。さらに、シフトアップ条件のエンジン回転数以上になったときにセグメント２２が点滅する点滅周期は、初期状態では、例えば７Ｈｚに設定される。本実施形態では、シフトアップ条件の点滅周期が、３Ｈｚ、７Ｈｚ、０Ｈｚ（非点滅状態）のいずれかを、運転者の好みに応じて変更可能である。これらのシフトアップ条件のエンジン回転数や点滅周期について、初期状態の数値及び運転者により選択された数値がメモリ４に記憶される。
【００８９】
次に、図７を参照しながら、本発明の一実施形態に係るメータパネル１１０の設定変更について説明する。
【００９０】
ステップＳ２００において、イグニッションスイッチがオンであり且つ所定の切換スイッチ１２，１４の操作が行われると、本発明の一実施形態に係るメータパネル１１０でのタコメータ設定変更モードがスタートする。
【００９１】
例えば、第一切換スイッチ１２と第二切換スイッチ１４とを同時に所定時間以上で長めに押すことによって、通常の表示画面と設定変更画面との間を相互に移動することができる。
【００９２】
設定変更画面に移動した上で、例えば、第一切換スイッチ１２を所定時間未満で短めに押す（すなわち短押しする）ことによって、タコメータ表示デバイス２０のシフトアップ報知表示における発光バリエーション（点滅周期を３Ｈｚ又は７Ｈｚに変更したり、点滅動作をオフにしたりすること）を適宜に変えることができる。
【００９３】
また、設定変更画面に移動した上で、第一切換スイッチ１２を所定時間以上で長めに押す（すなわち長押しする）ことによって、タコメータ表示デバイス２０の輝度調整モードに入ることができる。そして、第二切換スイッチ１４を所定時間未満で短めに押すことによって、タコメータ表示デバイス２０の輝度変化規則の変更を行うことができる。
【００９４】
また、設定変更画面に移動した上で、第二切換スイッチ１４を所定時間未満で短めに押す（すなわち短押しする）ことによって、タコメータ表示デバイス２０のシフトアップ報知表示を行わせるときのエンジン回転数を適宜に変更することができる。
【００９５】
ステップＳ２０４において、メモリ４に保存されている設定値の読み取りを行う。ここで、メモリ４に保存されている設定値とは、例えば、タコメータ表示デバイス２０における、シフトアップ報知表示の点滅条件、シフトアップ報知表示を行わせるときのエンジン回転数、及び、輝度変化規則である。
【００９６】
ステップＳ２０８において、切換スイッチ１２，１４の操作の有無が判断される。切換スイッチ１２，１４の操作が行われているならば、ステップＳ２１０において、車速センサ７６からの信号に基づいて、自動二輪車１００が停止状態にあるか否かを判断する。自動二輪車１００が停止状態にあるならば、次のステップＳ２１２に進むが、自動二輪車１００が停止状態にないならば、ステップＳ２０８に進んで当該タコメータ設定変更モードを終了する。
【００９７】
ステップＳ２１２において、タコメータ表示デバイス２０の輝度変化規則の設定値及び／又はシフトアップインジケータ（エンジン回転数や表示形態）に関する設定値を変更することができる。これらの設定が終了すると、変更された設定値をメモリ４に保存する（ステップＳ２１４）。
【００９８】
例えば、ステップＳ２１２において、第一切換スイッチ１２を所定時間以上で長めに押すことで、タコメータ表示デバイス２０の輝度変化規則を変更することができる。第二切換スイッチ１４を所定時間未満で短めに押すことで、前記三つの輝度変化規則の中からいずれか一つを選択することにより、セグメント２２が発光するときの輝度を変更することができる。
【００９９】
また、ステップＳ２１２において、第一切換スイッチ１２を所定時間以上で長めに押すことなく、第二切換スイッチ１４を所定時間未満で短めに押すことにより、シフトアップインジケータ用エンジン回転数を設定することができる。第二切換スイッチ１４を所定時間未満で短めに押すことにより、シフトアップ報知表示を行わせるときのエンジン回転数を、所定の刻み値で変更することができる。
【０１００】
また、ステップＳ２１２において、第一切換スイッチ１２を所定時間未満で短めに押すことにより、シフトアップインジケータ用点滅パターンを設定することができる。第一切換スイッチ１２を所定時間未満で短めに押すことにより、シフトアップ報知表示の点滅パターンを選択することができる。
【０１０１】
ステップＳ２１２において、切換スイッチ１２，１４を所定時間以上で長めに押すことにより、ステップＳ２１３に移り、ステップＳ２１３において切換終了スイッチの操作の有無が判断される。ステップＳ２１４において、ステップＳ２１２において変更された設定値がメモリ４に保存される。
【０１０２】
ステップＳ２２４において、タコメータ設定変更モードが終了して、通常の表示画面に戻る。なお、いずれのステップにおいても、イグニッションスイッチがオフになったり、切換スイッチ１２，１４を操作しない時間が所定時間経過したりすると、タコメータ設定変更モードが終了して、通常の表示画面に戻る。
【０１０３】
上述した操作方法は、あくまでも一例であり、他の操作方法により、モードの切換、設定値の変更や決定を行うことができる。
【０１０４】
次に、液晶表示デバイス３０の液晶表示面３５の構成及び表示形態について、図８を参照しながら説明する。
【０１０５】
液晶表示面３５の左右方向の中央部には、３桁のデジタル数字を有する主表示部３２が配置されている。主表示部３２は、検出されている車速又はギア位置のいずれか一方を切り換えて表示し、液晶表示面３５の中で最も大きく寸法構成されている。したがって、主表示部３２の視認性が最も優れている。３桁のデジタル数字のうち、左側に位置するデジタル数字の左上部分が切り欠かれており、切り欠かれた部分には、ＧＥＡＲというギア位置を表す文字が表記されている。主表示部３２におけるギア位置を示す数字は、主表示部３２の３桁のデジタル数字のうち、いずれか一つのデジタル数字を使って表示される。また、３桁のデジタル数字のうち、右側に位置するデジタル数字の右上には、ｋｍ／ｈ及びｍｐｈという車速単位を表す文字が表記されている。
【０１０６】
液晶表示面３５の上方の左右方向の左側には、６桁のデジタル数字を有する第一サブ表示部４３が配置されている。第一サブ表示部４３は、検出されている積算走行距離（オドメータ）、区間走行距離（トリップメータ）又はラップタイムのいずれか一つを切り換えて表示する。
【０１０７】
液晶表示面３５の上方の左右方向の右側には、１桁のデジタル数字を有するギア位置表示部３６が配置されている。ギア位置表示部３６は、検出されているギア位置をデジタル表示する。
【０１０８】
ギア位置表示部３６の左右方向の右側には、走行モード表示部４７が設けられている。走行モード表示部４７は、例えば、標準モードや、標準モードに比べて出力の大きいパワーモードや、標準モードに比べて燃費に優れているエコモードのような三つの運転モードのうち、いずれの運転モードにあるかを表示する。
【０１０９】
液晶表示面３５の下方の左右方向の左側には、３桁のデジタル数字を有する温度表示部４３が配置されている。温度表示部４３は、検出されている水温をデジタル表示する。右側に位置するデジタル数字の右側には、°Ｃ及び°Ｆという温度単位を表す文字が表記されている。
【０１１０】
液晶表示面３５の下方の左右方向の右側には、４桁のデジタル数字を有する第二サブ表示部３４が配置されている。第二サブ表示部３４は、検出されている時刻又は車速のいずれか一方を切り換えて表示する。４桁のデジタル数字のうち、右側に位置するデジタル数字の右側には、ｋｍ／ｈ及びｍｐｈという車速単位を表す文字が表記されている。
【０１１１】
また、液晶表示面３５には、上記表示部以外にも、燃料エンプティインジケータやＡＢＳ警告灯等の様々な絵文字部が適宜配置される。
【０１１２】
次に、液晶表示面３５における表示形態を例示する。
【０１１３】
切換スイッチ１２，１４の切換操作により、第一の表示形態（通常走行用表示モード）と第二の表示形態（サーキット走行用表示モード）との間で適宜に切り換えられて、以下に説明するような情報が液晶表示面３５に表示される。なお、特に言及しない表示部においては、表示形態の切換操作と無関係に、所定の情報が常に表示されている。
【０１１４】
図８の（Ａ）に示すように、第一の表示形態（通常走行用表示モード）に係る主表示部３２と第二サブ表示部３４とギア位置表示部３６とにおいては、それぞれ、検出されている車速と時刻とギア位置とが表示される。
【０１１５】
図８の（Ｂ）に示すように、第二の表示形態（サーキット走行用表示モード）に係る主表示部３２と第二サブ表示部３４とにおいては、それぞれ、検出されているギア位置と車速とが表示される。なお、ギア位置表示部３６は、何も表示されていない非表示の状態になっている。
【０１１６】
液晶表示デバイス３０での上記表示形態によれば、走行モード毎に最も必要な状態情報が、液晶表示面３５の中で最も視認しやすい主表示部３２に表示される。すなわち、通常走行用表示モードであれば車速が、サーキット走行用表示モードであればギア位置が、それぞれ主表示部３２に表示される。したがって、運転者が乗物状態の変化を迅速且つ的確に把握できるという非常に良好な視認性を提供するという効果を奏する。
【０１１７】
次に、図１０を参照しながら、光源２１周りの変形例について説明する。
【０１１８】
図１０は、変形例に係るタコメータ表示デバイス２０の要部を模式的に示した説明図である。（Ａ）は斜視図であり、（Ｂ）は（Ａ）のＸ視図であり、（Ｃ）は（Ａ）のＹ視図である。
【０１１９】
当該変形例では、図１０の（Ａ）に示すように、複数個の第一列側光源２１ｓと第二列側光源２１ｔとが、千鳥状に配置されている。図１０の（Ｃ）に示されているように、隣接する二つの第一列側光源２１ｓの間に、一つの第二列側光源２１ｔが配置されている。
【０１２０】
第一列側光源２１ｓ、第二列側光源２１ｔのそれぞれに対面するように、第一列側セグメント形成体２６ｓ、第二列側セグメント形成体２６ｔの小開口面側が配置されている。第一列側セグメント形成体２６ｓ、第二列側セグメント形成体２６ｔの大開口面側が、それぞれ、発光表示面２３としての第一列側セグメント２２ｓ、第二列側セグメント２２ｔを構成している。第一列側セグメント形成体２６ｓと第二列側セグメント形成体２６ｔとは、同じ形状であって、１８０度の角度で回転配置したものである。
【０１２１】
複数個の第一列側光源２１ｓと第二列側光源２１ｔとを千鳥状に配置することにより、タコメータ表示デバイス２０の左右方向の横幅が短くなり、メータパネル１１０の左右方向の横幅も短くなる。したがって、メータパネル１１０の小型化という効果を奏する。
【０１２２】
光源２１ｓ，２１ｔを高輝度で発光させるためにそれらに大電流を流す必要があるが、大電流を流すことによって発熱量が増大して、光源２１ｓ，２１ｔが熱的ダメージを受けてしまう。ＬＥＤ素子を千鳥状に配置することは、全てのＬＥＤ素子を横一列に整列配置した場合よりも、隣接する光源２１ｓ，２１ｔの離間距離（第一列側セグメント形成体２６ｓと第二列側セグメント形成体２６ｔとの距離、隣接する第一列側セグメント形成体２６ｓ同士の距離、及び、隣接する第二列側セグメント形成体２６ｔ同士の距離）が長くなるために、光源２１ｓ，２１ｔが熱的ダメージを受けにくくなる。したがって、光源２１ｓ，２１ｔの熱的ダメージを低減させるためにも、図７に示した千鳥状の配置構成が有効である。
【０１２３】
なお、上述した実施形態では、自動二輪車１００がサーキット場などで走行するスポーツタイプのものとして説明しているので、運転者が走行中に必要とし且つ走行中の視認性が良好である乗物状態を示す情報すなわち状態情報は、エンジン回転数である。したがって、主たる表示対象としてのエンジン回転数を表示するための主たる発光表示デバイスは、タコメータ表示デバイス２０となる。他の状態情報としては、車速を挙げることができる。主たる表示対象が車速であるならば、主たる表示デバイスとしての発光表示デバイス（タコメータ表示デバイス２０）には、車速が表示される。その結果、他の副次的表示デバイスとしての液晶表示デバイス３０には、エンジン回転数が表示されることになる。
【０１２４】
また、上述した実施形態においては、走行時報知条件の一例として、シフトアップ条件について説明したが、シフトアップ条件以外の走行時報知条件としては、時報、センサエラー情報、燃料計、イモビキー紛失、ＡＢＳ作動状態、トラクションコントロール作動状態等である。さらに、所定の走行時報知条件を満たしたときに行われる発光表示形態の変化（セグメント２２の発光数以外の他の発光表示形態）の一例として、セグメント２２を点滅させることを例示したが、他の態様であってもよい。所定の走行時報知条件を満たしたときに行われる発光表示形態の変化（他の発光表示形態）として、例えば、発光動作を行っているセグメント２２の発光色や輝度や点滅周期を変化させたり、セグメント２２の発光を一個飛ばしにしたり、アイドル回転数に対応する低エンジン回転数側のセグメント２２の発光色や輝度や点滅周期を変化させたり、することができる。
【０１２５】
本実施形態では、本発明のメータパネル１１０を自動二輪車１００の表示装置として搭載した例を示したが、これに限定されることなく、他の乗物に搭載することができる。特に、本発明のメータパネル１１０は、メータパネル１１０を上方から覆う天井が設けられておらずに乗物が上方に開放されているオープンライド型の乗物、すなわち太陽光がタコメータ表示面２５や液晶表示面３５等の表示面に直接に入射するような乗物に好適に用いることができる。オープンライド型の乗物として、例えばオープンカー、バギー車、不整地走行車のほか、自動三輪車、自転車、船舶、小型滑走艇などを挙げることができる。オープンライド型の乗物については、乗物周囲の明るさの変化に応じて、タコメータ表示面２５や液晶表示面３５等の表示面に周囲から入射する光の光量が大きく変動する。したがって、タコメータ表示面２５や液晶表示面３５等の表示面の明るさを変化させることによる効果が、より大きく得られる。
【０１２６】
また、本発明のメータパネル１１０は、同様の理由から、太陽光の入射を防ぐ日除け壁がタコメータ表示面２５や液晶表示面３５等の表示面の周囲に存在しない表示装置、例えば表示面と表示装置の筐体上端面とが略面一に形成されて表示装置の上方が開放された状態で取付けられる表示装置、に対して好適に用いられる。
【０１２７】
本実施形態では、セグメント２２は、輝度を制御することのできる光源から放射された光を集光する光学素子を含んで構成されている。また、セグメント２２の輝度は、光源の輝度を制御することで調光される。セグメント２２の光源は、自発光し且つ輝度を制御可能である光源であればよい。当該光源は、無機材料からなるＬＥＤ素子以外であってもよく、例えば有機ＥＬ（エレクトロルミネッセンス）素子や、微小な電球や蛍光灯であってもよい。また、本実施形態のセグメント成形体２６は、光源から放射された光を集光する透光性材料により構成されているが、これに限られるものではない。例えば、セグメント成形体２６自体が、輝度を制御することのできる光源により実現されてもよい。また、セグメント成形体２６は、光透過率を制御することのできる構成、例えば液晶素子で実現されてもよく、光源から放射された光の透過率を変化させることで、セグメント２２の輝度を変化させてもよい。なお、光源としてＬＥＤ素子を用いることは、他の光源を用いる場合に比べて、小型にすることができ且つ太陽の強い入射光に抗する高い輝度を得ることができるので、メータパネル１１０の光源として好適である。
【０１２８】
本実施形態では、設定された基準値に対する検出された数値の差が正の方向に大きくなるほどにセグメント２２の発光数を増加させているが、これに限定されるものではない。例えば、設定された基準値に対する検出された数値の差が負の方向に大きくなるほどにセグメント２２の発光数を増加させてもよい。例えば、発光／非発光を反転させた構成にして、アイドリング状態のエンジン回転数でセグメント２２の発光数が多く、エンジン回転数が高くなるにつれてセグメント２２の発光数が少なくなるようにしてもよい。このように、本発明では、設定された基準値に対する検出された数値の差を変化量として表示するように構成してもよい。
【０１２９】
本実施形態では、発光表示面２３に表示させる状態情報として、エンジン回転数又は車速を示したが、これに限定されるものではなく、他の状態情報であってもよい。表示させる状態情報は、例えば、燃料量、変速比、運転者が予め設定した時点からの走行時間又は走行距離であってもよい。発光表示面２３に表示される状態情報は、セグメント２２の発光数により、比較的瞬時に視認されるので、サーキット走行などで必要とされる状態情報を表示することが好ましい。例えば、走行距離に基づいて算出される周回数を表示するようにしてもよい。
【０１３０】
本実施形態では、変速比の変更を促すために所定のエンジン回転数以上になると、セグメント２２を点滅させている。セグメント２２の点滅以外に発光色を異ならせてもよい。また、セグメント２２の発光色の変化と点滅とを同時に行わせてもよい。これにより、変速比の変更時期を運転者に確実に知らせることができる。また、変速比の変更のほか、燃料量が所定値以下となった場合や、エンジン回転数センサ７２等の乗物状態検出センサに異常が生じた場合に、発光数以外の表示形態で発光表示面２３に表示するようにしてもよい。また、運転者が予め設定した時点からの走行時間又は走行時間が所定値に達した場合に、発光表示面２３に表示してもよい。
【０１３１】
一つの発光表示面２３において、セグメント２２の発光数によって表示される第一の状態情報のほかに、セグメント２２の発光数以外によって示される第二の状態情報を表示させることができる。これにより、発光表示面２３の設置数が不必要に増えることを防止できる。また、セグメント２２の発光数以外の表示形態が複数個あり、それらが一つの発光表示面２３で共存できるならば、複数の状態情報を一つの発光表示面２３で実現することができる。所定の走行報知条件を満たした場合に、所定の走行条件を満たさない場合に比べて、発光表示面２３での表示形態を異ならせてもよい。
【０１３２】
本願において一列に並んで配置されるという表現は、左右方向に直線状に並んで配置される場合や、左右方向に円弧状に並んで配置される場合を含んでいる。円弧状に並んで配置することは、直線状に並んで配置する場合に比べて、左右方向の寸法が大きくなることを防止し、セグメント２２の発光面積を増やすことができる。状態変化が大きくなるにつれて、左右方向の一側から数えたときのセグメント２２の発光数が増加する。本実施形態では、光センサ１６は、左右方向の一側で発光するセグメント２２の近傍を除く位置に配置され、左右方向の他側の近傍に配置される。具体的には、光センサの受光部は、左右方向の中央部よりも他側に寄った位置に配置され、さらに具体的には、発光頻度の低いセグメント２２の他側（図２の右側）の端部に配置されている。
【０１３３】
本実施形態では、切換スイッチ１２，１４は、左右方向に延在するセグメント２２のうち、一側のセグメント２２の近傍に配置されている。具体的には、切換スイッチ１２，１４は、左右方向の中央部よりも一側に寄った位置に配置され、さらに具体的には、発光頻度の高いセグメント２２の一側（図２の左側）の端部に配置されている。エンジンを始動させたとき、左右方向の一側のセグメント２２が発光した状態となる。したがって、発光したセグメント２２が、切換スイッチ１２，１４を照明するための明かりとなり、夜間における切換スイッチ１２，１４の操作が容易になる。
【０１３４】
本実施形態では、周囲の明るさに応じて変化するセグメント２２の輝度を、メモリ４に記憶されている設定値によって規定しているが、これに限らず、周囲の明るさに基づいてセグメント２２の輝度を算出する算出式を記憶し、当該算出式からセグメント２２の輝度を規定するようにしてもよい。例えば、第二輝度変化規則では、第一輝度変化規則の数値に対して２５％減じた数値とし、第三輝度変化規則では、第一輝度変化規則の数値に対して５０％減じた数値とするようにしてもよい。また、本実施形態では、周囲の明るさに応じて、セグメント２２の輝度を、３段階で変化させているが、２段階で変化させたり、３段階以上で変化させたりすることもできる。また、運転者の好みに応じてセグメント２２の輝度を設定可能としたが、これに限らず、輝度変化規則について予め固定されていてもよい。
【０１３５】
なお、本願において、セグメント２２の輝度という表現は、セグメント２２の発光表示面２３における明るさの度合いのことであり、光源の輝度という表現は、光源の単位面積当たりの明るさのことである。
【符号の説明】
【０１３６】
２  ＣＰＵ（制御部）
４  メモリ
６  ＬＥＤ駆動回路
８  液晶駆動回路
１０  上ケース
１２  第一切換スイッチ
１４  第二切換スイッチ
１６  光センサ
２０  タコメータ表示デバイス（発光表示デバイス）
２１  ＬＥＤ素子
２２  セグメント（発光領域）
２２ａ  低回転数側発光領域
２２ｂ  中回転数側発光領域
２２ｃ  高回転数側発光領域
２２ｄ  低・中回転数側発光領域
２２ｘ  第一セグメント
２２ｙ  第二セグメント
２３  発光表示面
２４  数字表示部
２５  タコメータ表示面
２６  セグメント形成体
３０  液晶表示デバイス（透過表示デバイス）
３１  バックライト光源
３２  主表示部
３３  液晶パネル
３４  第二サブ表示部
３５  液晶表示面
３６  ギア位置表示部
３７  液晶セグメント
３８  導光板
４０  ランプ
５０  下ケース
６４  基板
７０  ＥＣＵ（状態取得部）
７２  エンジン回転数センサ
７４  ギア位置センサ
７６  車速センサ
７８  水温センサ
１００  自動二輪車
１１０  メータパネル（表示装置）
【図１】
0005577191.tif 000004
【図２】
0005577191.tif 000005
【図３】
0005577191.tif 000006
【図４】
0005577191.tif 000007
【図５】
0005577191.tif 000008
【図６】
0005577191.tif 000009
【図７】
0005577191.tif 000010
【図８】
0005577191.tif 000011
【図９】
0005577191.tif 000012
【図１０】
0005577191.tif 000013